(57)【要約】【課題】アウターの衣料の外観を呈し、かつ吸収性物品の交換時には該吸収性本体のみを廃棄できるパンツ型吸収性物品を提供すること。【解決手段】パンツ型吸収性物品１は、着用状態において着用者の腰回りに位置し、かつ周方向に弾性を有する環状ウエストバンド部２Ａを有する外側カバー２と、着用状態において着用者の股下に位置する吸収性本体３とを備える。外側カバー２は、環状ウエストバンド部２Ａの下端から下方に延出する非弾性延出部２Ｂを有する。外側カバー２と吸収性本体３とは着脱可能になっている。外側カバー２はその下端縁２ｂが、吸収性本体３の最下部３’よりも下方に延出した状態となる。【選択図】図１
2014083381.tif 000002
【特許請求の範囲】
【請求項１】
着用状態において着用者の腰回りに位置し、かつ周方向に弾性を有する環状ウエストバンド部を有する外側カバーと、着用状態において着用者の股下に位置する吸収性本体とを備え、該外側カバーと該吸収性本体とが着脱可能になっているパンツ型吸収性物品であって、
前記外側カバーは、前記環状ウエストバンド部の下端から下方に延出する非弾性延出部を有し、
前記外側カバーはその下端縁が、該吸収性本体の最下部よりも下方に延出した状態となる、パンツ型吸収性物品。
【請求項２】
前記外側カバーの前記非弾性延出部が、その上方から下方に向けて末広がり状に拡開しており、該外側カバーが全体としてスカート状の形状をなす請求項１に記載のパンツ型吸収性物品。
【請求項３】
前記外側カバーと前記吸収性本体とを固定して前記吸収性物品の状態にしたときに、該外側カバーの前記非弾性延出部における下端域のうち、腹側部側の幅方向中央部及び背側部側の幅方向中央部がそれぞれ、該吸収性本体の股下部に接合可能になっているか、又は両幅方向中央部が互いに接合可能となっており、その接合によって該外側カバーが全体としてトランクス状の形状をなす請求項１に記載のパンツ型吸収性物品。
【請求項４】
前記環状ウエストバンド部は、一方向に長い帯状シート部材における長手方向両端部どうしを、その幅方向に沿って接合して形成されたものであるか、又は、
長手方向及びそれに直交する幅方向を有する複数枚の帯状シート部材を、それらの長手方向に沿って直列させ、前後に隣り合う帯状シート部材における長手方向の端縁どうしを接合するとともに、最前部に位置する帯状シート部材の前側端縁と、最後部に位置する帯状シート部材の後側端縁とを接合して環状に形成されたものであり、
前記帯状シート部材は、該帯状シート部材の長手方向に沿って伸縮性のある伸縮部を少なくとも一部に有している請求項１ないし３のいずれか一項に記載のパンツ型吸収性物品。
【請求項５】
前記帯状シート部材が、前記伸縮部に加えて非伸縮部を有し、該非伸縮部は、該帯状シート部材における長手方向両端部に位置し、該非伸縮部どうしが剥離不能に接合されている請求項４に記載のパンツ型吸収性物品。
【請求項６】
前記吸収性本体と前記外側カバーとは、該外側カバーの前記環状ウエストバンド部における前記非伸縮部において着脱可能に固定される請求項５に記載のパンツ型吸収性物品。
【請求項７】
前記吸収性本体の長手方向両端部が、前記外側カバーの上部域の位置で固定されるように構成されている請求項１ないし６のいずれか一項に記載のパンツ型吸収性物品。
【請求項８】
前記吸収性本体の長手方向両端部に、前記外側カバーの前記環状ウエストバンド部への固定手段が設けられている請求項７に記載のパンツ型吸収性物品。
【請求項９】
前記外側カバーの上部域に、前記吸収性本体への固定手段が設けられている請求項７に記載のパンツ型吸収性物品。
【請求項１０】
前記外側カバーと前記吸収性本体とが、該外側カバーの前記環状ウエストバンド部の上部域でのみ固定されている請求項８又は９に記載のパンツ型吸収性物品。
【請求項１１】
前記外側カバーは、前記帯状シート部材における長手方向両端部どうしを、その幅方向に沿って合掌状に接合して形成された接合部を有し、
前記吸収性物品の着用状態において、前記外側カバーの前記接合部が、該外側カバーの非肌当接面側に露出し、かつ前記吸収性本体における腹側部又は背側部の幅方向中央域に位置するように、前記外側カバーと前記吸収性本体とが着脱可能に固定される請求項１ないし１０のいずれか一項に記載のパンツ型吸収性物品。
【発明の詳細な説明】
【技術分野】
【０００１】
本発明はパンツ型吸収性物品に関する。
【背景技術】
【０００２】
環状ウエストバンド部と吸収性本体とを備え、これらが着脱可能に固定されるようになっているパンツ型吸収性物品としては、例えば特許文献１に記載の技術が知られている。特許文献１に記載の吸収性物品においては、環状ウエストバンド部が伸縮性の帯状体からなり、腹側部分及び背側部分のそれぞれに非収縮領域を備えている。吸収性本体は、その長手方向の両端部が前記非収縮領域に固定される。
【０００３】
前記の技術とは別に、パンツ型吸収性物品に外側カバーを取り付けてスカートやトランクスの外観を付与するようにした技術が特許文献２及び３に記載されている。
【先行技術文献】
【特許文献】
【０００４】
【特許文献１】特開２０１０−８２１３９号公報
【特許文献２】特開２００５−９５６３６号公報
【特許文献３】特開２０１０−２５９５４２号公報
【発明の概要】
【発明が解決しようとする課題】
【０００５】
しかし、特許文献１に記載のパンツ型吸収性物品は、下着の代わりとして着用されるものであり、アウターの衣料としての外観を呈するものではない。また、特許文献２及び３に記載されている吸収性物品においては、スカートやトランクスを構成する外側カバーが吸収性本体に着脱不能に固定されているので、該外側カバーを含め物品全体を廃棄しなければならず経済的でなく、また環境負荷を増加させる。
したがって本発明の課題は、前述した従来技術が有する欠点を解消し得るパンツ型吸収性物品を提供することにある。
【課題を解決するための手段】
【０００６】
本発明は、着用状態において着用者の腰回りに位置し、かつ周方向に弾性を有する環状ウエストバンド部を有する外側カバーと、着用状態において着用者の股下に位置する吸収性本体とを備え、該外側カバーと該吸収性本体とが着脱可能になっているパンツ型吸収性物品であって、
前記外側カバーは、前記環状ウエストバンド部の下端から下方に延出する非弾性延出部を有し、
前記外側カバーはその下端縁が、該吸収性本体の最下部よりも下方に延出した状態となる、パンツ型吸収性物品を提供するものである。
【発明の効果】
【０００７】
本発明によれば、外側カバーによって吸収性物品がアウターの衣料の外観を呈するので、該吸収性物品を着用すれば、その上にアウターの衣料を着用する必要がない。また外側カバーは吸収性本体と着脱可能になっており、吸収性物品の交換時には該吸収性本体のみを廃棄し外側カバーは再使用できるので経済的であり、しかも廃棄による環境負荷を軽減することができる。
【図面の簡単な説明】
【０００８】
【図１】図１（ａ）は、本発明のパンツ型吸収性物品の一実施形態としてのパンツ型使い捨ておむつを組み立てる前の分解斜視図であり、図１（ｂ）は、パンツ型使い捨ておむつの斜視図である。
【図２】図２は、図１に示すパンツ型使い捨ておむつにおける外側カバーを展開した状態を示す平面図である。
【図３】図３（ａ）は、図１に示すパンツ型使い捨ておむつにおける吸収性本体を示す平面図であり、図３（ｂ）及び（ｃ）は、図３（ａ）におけるｂ−ｂ線断面図及びｃ−ｃ線断面図である。
【図４】図４（ａ）は、本発明のパンツ型吸収性物品の別の実施形態としてのパンツ型使い捨ておむつを組み立てる前の分解斜視図であり、図４（ｂ）は、パンツ型使い捨ておむつの斜視図である。
【図５】図５（ａ）は、本発明のパンツ型吸収性物品の他の実施形態としてのパンツ型使い捨ておむつを組み立てる前の分解斜視図であり、図５（ｂ）は、パンツ型使い捨ておむつの斜視図である。
【図６】図６（ａ）は、本発明のパンツ型吸収性物品の更に他の実施形態としてのパンツ型使い捨ておむつを組み立てる前の分解斜視図であり、図６（ｂ）は、パンツ型使い捨ておむつの斜視図である。
【発明を実施するための形態】
【０００９】
以下本発明を、その好ましい実施形態に基づき図面を参照しながら説明する。図１（ａ）及び（ｂ）には、本発明のパンツ型吸収性物品の一実施形態としてのパンツ型使い捨ておむつ１が示されている。おむつ１は、外側カバー２と、吸収性本体３とを備えている。両者は着脱可能になっている。詳細には、外側カバー２と吸収性本体３とは、図１（ａ）に示すとおり、おむつ１の使用前の状態においては別個の部材となっている。使用に際しては、図１（ｂ）に示すとおり、両者を固定してパンツ型のおむつの形態となす。
【００１０】
外側カバー２は、環状ウエストバンド部２Ａ及び非弾性延出部２Ｂを有している。外側カバー２の環状ウエストバンド部２Ａは、おむつ１の着用状態において着用者の腰回りに位置する部材である。また環状ウエストバンド部２Ａは周方向に弾性を有している。一方、非弾性延出部２Ｂは、環状ウエストバンド部２Ａの下端から下方に延出する部位である。
【００１１】
吸収性本体３は、図１（ｂ）に示すとおり、おむつ１の着用状態において着用者の股下に位置する部材である。吸収性本体３は、外側カバー２と異なり、着用者の腰回り方向に伸縮性を有していない。なお、以下の説明において、おむつ１の腰回り方向を横方向又は幅方向といい、図１（ｂ）中、符号Ｘで示す。また腰回り方向と直交する方向を縦方向又は長手方向といい、図１（ｂ）中、符号Ｙで示す。
【００１２】
図１（ａ）及び図１（ｂ）に示すとおり、外側カバー２は、一方向に長い帯状シート部材における長手方向両端域どうしを、その幅方向に沿って合掌状に接合して形成された接合部２１を１つ有している。なお、外側カバー２の幅方向は、図１（ｂ）のＹ方向であり、接合部２１はＹ方向に沿って形成されている。接合部２１の外方には、帯状シート部材の端縁を含む両端部が口開き状態になった非接合部２１’が、該接合部２１に隣接して形成されている。したがって接合部２１は、帯状シート部材の端縁を含んでいない。
【００１３】
図２には、外側カバー２を、その接合部２１の位置において切り開き、平面状に展開した状態が示されている。外側カバー２は、上述した一方向に長い帯状シート部材２２から構成されている。同図に示すとおり、帯状シート部材２２は矩形状をしており、長手方向Ｙ’とそれに直交する幅方向Ｘ’を有している。しかし、帯状シート部材２２の形状は、これに限られず、例えば長手方向Ｙ’の対向する二辺２２ａ，２２ｂは平行でなくてもよい。また、長手方向Ｙ’の各辺２２ａ，２２ｂは直線であることを要しない。また、幅方向Ｘ’の対向する二辺２２ｃ，２２ｄは平行でなくてもよく、幅方向Ｘ’の各辺２２ｃ，２２ｄは直線であることを要しない。
【００１４】
帯状シート部材２２は、その長手方向Ｙ’に沿って延びる帯状伸縮域２２Ａと、同じく長手方向Ｙ’に沿って延びる帯状非伸縮域２２Ｂとを有している。帯状伸縮域２２Ａと帯状非伸縮域２２Ｂとは幅方向Ｘ’に隣接して並列配置されている。帯状伸縮域２２Ａは、外側カバー２における環状ウエストバンド部２Ａに対応する部位である。帯状非伸縮域２２Ｂは、外側カバー２における非弾性延出部２Ｂに対応する部位である。幅方向Ｘ’における帯状伸縮域２２Ａ及び帯状非伸縮域２２Ｂの長さは同じであってもよく、あるいは異なっていてもよい。幅方向Ｘ’における帯状非伸縮域２２Ｂの長さは、フィット性と外観の観点から、幅方向Ｘ’における帯状伸縮域２２Ａの長さに対して５０％以上であることが好ましく、１００％以上であることが更に好ましい。また帯状非伸縮域２２Ｂの長さは、帯状伸縮域２２Ａの長さに対して２００％以下であることが好ましく、１５０％以下であることが更に好ましい。例えば、帯状非伸縮域２２Ｂの長さは、帯状伸縮域２２Ａの長さに対して５０％以上２００％以下であることが好ましく、１００％以上１５０％以下であることが更に好ましい。
【００１５】
帯状シート部材２２における帯状伸縮域２２Ａは、長手方向Ｙ’に沿って伸縮性のある伸縮部を一部に有している。図２には、長手方向Ｙ’に沿って、帯状伸縮域２２Ａに２箇所の伸縮部２３ａ，２３ｂが設けられている状態が示されている。帯状シート部材２２は、伸縮部２３ａ，２３ｂを有することに加えて非伸縮部も有している。具体的には、帯状シート部材２２における伸縮部２３ａ，２３ｂ間の領域は、非伸縮部２４ａになっている。また帯状伸縮域２２Ａにおける長手方向Ｙ’の両端部、すなわち伸縮部２３ａと、長手方向Ｙ’における一方の端縁２２ｃとの間の領域、及び伸縮部２３ｂと、長手方向Ｙ’における他方の端縁２２ｄとの間の領域も非伸縮部２４ｂ，２４ｃになっている。両端縁２２ｃ，２２ｄは、外側カバー２における非接合部２１’に含まれている。帯状シート部材２２における２つの伸縮部２３ａ，２３ｂの配置位置は、帯状シート部材２２から環状ウエストバンド部２Ａを含む外側カバー２を形成し、該外側カバー２を装着した状態において、該伸縮部２３ａ，２３ｂが着用者の左右の腸骨を含む側部に位置するような位置である。一方、非伸縮部２４ａは、外側カバー２を装着した状態において、該非伸縮部２４ａが着用者の背側部に位置するように配置されている。また、非伸縮部２４ｂ，２４ｃは、外側カバー２を装着した状態において、該非伸縮部２４ｂ，２４ｃが着用者の腹側部に位置するように配置されている。なお、ここでいう腸骨とは、腸骨稜から上前腸骨棘にかけての部位のことである。腸骨稜及び上前腸骨棘は解剖学の用語である。腸骨稜は、腸骨が、寛骨臼の上部を作る腸骨体とそれより上方において扇状に拡がる腸骨翼とを有しており、その腸骨翼の上縁に位置する部分のことである。上前腸骨棘は、腸骨稜の前方下部に位置する鈍円な突起である。
【００１６】
伸縮部２３ａ，２３ｂは、帯状シート部材２２の少なくとも長手方向Ｙ’に沿って伸縮性を有しており、場合によっては、長手方向Ｙ’だけでなく、幅方向Ｘ’にも伸縮性を有していてもよい。更に、必要に応じ、長手方向Ｙ’及び幅方向Ｘ’を含む平面内のあらゆる方向に伸縮性を有していてもよい。帯状シート部材２２の長手方向Ｙ’に沿って伸縮性を付与するために、本実施形態においては、一方向に長い２枚のシート２５ａ，２５ｂ間に、該方向と同方向に長い１本又は複数本の弾性部材２６を伸長状態で接合固定して帯状シート部材２２となしている。弾性部材２６は、伸縮部２３ａ，２３ｂに配されている。非伸縮部２４ａ，２４ｂ，２４ｃには弾性部材２６が配されていないか、又は配されているとしても、該弾性部材２６はその弾性が発現しないような状態で配されている。弾性部材２６は、例えば糸ゴムや平ゴム等から構成されている。
【００１７】
伸縮部２３ａ，２３ｂに配されている複数本の弾性部材２６は、帯状シート部材２２の長手方向Ｙ’と同方向に延び、かつ幅方向Ｘ’にわたりほぼ平行に配置されている。幅方向Ｘ’において隣り合う弾性部材２６は、所定の距離を隔てている。各弾性部材２６は、その両端部の位置において両シート２５ａ，２５ｂと接合されており、かつ両端部間の位置においては、両シート２５ａ，２５ｂと非接合状態になっている。
【００１８】
幅方向Ｘ’に隣り合う弾性部材２６間の位置においては、接合点２６ａの位置を除き、２枚のシート２５ａ，２５ｂは非接合になっている。接合点２６ａにおいては、２枚のシート２５ａ，２５ｂが所定の接合手段によって接合されている。接合点２６ａは、帯状シート部材２２の長手方向Ｙ’に沿って所定の距離を隔てて複数形成されている。また幅方向Ｘ’に関しては、複数の接合点２６ａが一直線上に位置するように列をなしている。この列が、長手方向Ｙ’にわたり複数列配置されている。
【００１９】
伸縮部２３ａ，２３ｂが以上の構成になっていることで、自然状態において弾性部材２６が収縮し、その収縮によって幅方向Ｘ’に延びる複数条の襞Ｇ（図１（ａ）参照）が伸縮部２３ａ，２３ｂに形成される。襞Ｇは、環状ウエストバンド部２Ａの外面において突出している箇所に対応する内面においても突出している。
【００２０】
なお、帯状シート部材２２の帯状伸縮域２２Ａにおける伸縮部２３ａ，２３ｂの構成は、上述のものに限らず、その他の構成、例えば２枚のシート２５ａ，２５ｂ間に弾性部材２６を伸長状態で配し、かつ該弾性部材２６をその全長にわたり両シート２５ａ，２５ｂと接合する構成を採用してもよい。あるいは、伸縮部２３ａ，２３ｂを、弾性樹脂を含むシートから構成してもよい。
【００２１】
以上の説明は、帯状シート部材２２における帯状伸縮域２２Ａについてのものであったところ、該帯状シート部材２２における帯状非伸縮域２２Ｂは、非伸縮性のシート材料から構成されている。例えば帯状非伸縮域２２Ｂを、帯状伸縮域２２Ａを構成する２枚のシート２５ａ，２５ｂの双方のみから構成することができる。あるいは、この２枚のシート２５ａ，２５ｂのうちの一方のみから構成するともできる。別の形態として、帯状伸縮域２２Ａを構成するシートとは別の非伸縮性のシートを用意し、該非伸縮性のシートを、帯状伸縮域２２Ａの下端縁に連接し、かつ該下端縁から下方に延出するように、該帯状伸縮域２２Ａに貼り付けることで、帯状非伸縮域２２Ｂを形成することができる。
【００２２】
帯状シート部材２２から外側カバー２を製造するときには、図２に示す展開状態の帯状シート部材２２におけるシート２５ａが内側になるように、つまりシート２５ｂが外方を向くように該帯状シート部材２２を環状にする。そして、帯状シート部材２２の長手方向Ｙ’における両端部どうしを、シート２５ａが対向するように合掌状に重ね合わせ、その重ね合わされた部位を、幅方向Ｘ’に沿って剥離不能に接合する。この接合によって、先に述べた接合部２１が形成される。したがっておむつ１の着用状態においては、接合部２１は、外側カバー２における非肌当接面側に露出する。外側カバー２における肌当接面側には接合部２１は位置していない。接合部２１の形成には、例えば加熱したシールブロックによるヒートシールを用いることができるほか、超音波接合や接着剤を用いた接合等を用いることもできる。
【００２３】
接合部２１は、帯状シート部材２２の長手方向Ｙ’における両端域（ただし端縁は含んでいない）どうしを剥離不能に接合することで形成されている。先に述べたとおり、帯状シート部材２２の長手方向Ｙ’における両端域は、非伸縮部２４ｂ，２４ｃ及び帯状非伸縮領域２２Ｂになっている。これらの部位には弾性部材２６が存在していないので、その分だけ剛性が低くなっている。しかも、接合部２１の外側には、帯状シート部材２２の端縁２２ｃ，２２ｄを含む非接合部２１’が形成されているので、接合部２１が着用者の身体に直接当接しづらくなっている。その結果、両端域の接合によって形成される接合部２１も、弾性部材２６が存在していない分だけ剛性が低くなる。また、ギャザーが形成されない分だけ剛性が低くなる。このことは、接合部２１の柔軟化に寄与し、ひいては装着感の向上につながる。ギャザーが形成されないことには、接合部２１の形成を安定的に行えるという製造上のメリットもある。
【００２４】
環状ウエストバンド部２Ａとともに用いられる吸収性本体３は、図３（ａ）ないし（ｃ）に示すとおり、長手方向Ｙ”及びこれと直交する幅方向Ｘ”を有する縦長の略矩形状をしている。吸収性本体３は、液透過性の表面シート３１、液不透過性ないし撥水性の裏面シート３２及びこれら両シート間に介在配置された液保持性の吸収性コア３３を有している。おむつ１の着用状態において、表面シート３１は、着用者の肌に近い側に位置する一方、裏面シート３２は、着用者の肌から遠い側に位置する。表面シート３１は、吸収性コア３３のうち、着用者の肌対向面側の全域を被覆している。裏面シート３２は、吸収性コア３３のうち、着用者の非肌対向面側の全域を被覆している。表面シート３１及び裏面シート３２は、吸収性コア３３の長手方向端縁３３ａ，３３ｂから外方に延出した延出部３１ａ，３２ａを有している。このように、吸収性本体３は、その長手方向Ｙ”において、中央域に位置し、かつ表面シート３１、裏面シート３２及び吸収性コア３３を有する中央部３Ａと、該中央部３Ａの前後に位置し、かつ表面シート３１及び裏面シート３２の延出部３１ａ，３２ａを有するとともに吸収性コア３３を有しない前方延出部３Ｂ及び後方延出部３Ｃとから構成される。吸収性本体３と外側カバー２とからおむつ１を組み立てた場合、中央部３Ａは、着用者の股下部に位置する。一方、前方延出部３Ｂ及び後方延出部３Ｃは、着用者の腹側部及び背側部に位置する。吸収性コア３３は、平面視して図３（ａ）に示すとおり矩形状とすることができる。場合によってはいわゆる砂時計形とすることができる。なお、おむつ１の具体的な用途によっては、吸収性コア３３は吸収性本体３の長手方向Ｙ”の全長にわたって存在していてもよい。
【００２５】
吸収性本体３を構成する表面シート３１、裏面シート３２及び吸収性コア３３としては、当該技術分野においてこれまで用いられてきた材料と同様のものを用いることができる。
【００２６】
吸収性本体３においては、その長手方向Ｙ”に沿う左右の両側部に、防漏カフ３４が設けられている。防漏カフ３４は吸収性本体３の長手方向全域にわたって延びている。防漏カフ３４は、カフ形成用シート３５から構成されている。カフ形成用シート３５は、長手方向Ｙ”に長い帯状のものであり、これを縦長に二つ折りして、長手方向Ｙ”に沿う左右の側部のうち、一方の側部が裏面シート３２側に折り返され、かつ他方の側部が表面シート３１側に折り返された構造になっている。表面シート３１側に折り返された側部の側縁の自由端の位置には、第１弾性部材３６が伸長状態で接合固定されている。更に、カフ形成用シート３５を二つ折りした折曲部には、第２弾性部材３７が伸長状態で接合固定されている。おむつ１の着用状態においては、第１弾性部材３６及び第２弾性部材３７が収縮して、カフ形成用シート３５のうち、第１弾性部材３６と第２弾性部材３７との間の領域が起立し、防漏カフ３４が形成される。
【００２７】
図１に戻ると、吸収性本体３は、その長手方向の前後端部に、該吸収性本体３を環状ウエストバンド部２Ａに固定するための固定手段３８ａ，３８ｂを有している。詳細には、長手方向の前端部の位置に、幅方向に所定距離を置いて、一対の固定手段３８ａ，３８ａが設けられている。長手方向の後端部の位置にも、幅方向に所定距離を置いて、一対の固定手段３８ｂ，３８ｂが設けられている。これらの前後端部の固定手段３８ａ，３８ｂを用いて吸収性本体３を外側カバー２に固定し、目的とするおむつ１とするには、図１に示すとおり、吸収性本体３をその幅方向を軸として二つ折りして略Ｕ字状となし、略Ｕ字状の該吸収性本体３を、その長手方向の前後端部が上方を向くようにして、外側カバー２内に挿入する。そして、吸収性本体３の前後端部の位置と、外側カバーの上端縁２ａの位置とを一致させた状態で、固定手段３８ａ，３８ｂを外方に向けて折り返して、該固定手段３８ａ，３８ｂを環状ウエストバンド部２Ａの外面に固定する。このとき、吸収性本体３の前端部が、外側カバー２の環状ウエストバンド部２Ａにおける非伸縮部２４ｂ，２４ｃに対向し、かつ吸収性本体３の後端部が環状ウエストバンド部２Ａにおける非伸縮部２４ａに対向するように、両者の位置関係を調整する。かつ、吸収性本体３の前端部に取り付けられた一対の固定手段３８ａ，３８ａの略中間の位置に、外側カバー２の接合部２１が位置するように、両者の位置関係を調整する。更に、吸収性本体３の前方延出部３Ｂ及び後方延出部３Ｃの全域が、外側カバー２における環状ウエストバンド部２Ａと重なるように、両者の位置関係を調整する。このように、固定手段３８ａ，３８ｂは、非伸縮部２４ｂ，２４ｃ，２４ａにおいて固定され、吸収性本体３と外側カバー２とは、該外側カバー２における環状ウエストバンド部２Ａの非伸縮部２４ａ，２４ｂ，２４ｃにおいて着脱可能に固定される。その結果、吸収性本体３が着用者の身体に安定して沿うとともに、外側カバー２からの着脱が容易となる。
【００２８】
以上のとおりの取り付け態様で得られたおむつ１においては、図１（ｂ）に示すとおり、外側カバー２の上端縁２ａで画定されるウエスト開口部５が形成される。また、吸収性本体３の左右の側縁３９で画定される一対のレッグ開口部６が形成される。一対のレッグ開口部６は、外側カバー２より内側に形成されている。したがって、レッグ開口部６が外側カバー２によって隠蔽され、外部から視認しづらくなっている。更に、外側カバー２においては、環状ウエストバンド部２Ａがその周方向に沿って収縮することに起因して、該環状ウエストバンド部２Ａの下端から下方に延出した非弾性延出部２Ｂが、上方から下方に向けて末広がり状に拡開して、外側カバー２が全体としてスカート状の形状をなすようになる。その結果、本実施形態のおむつ１は、吸収性本体３に起因する下着としての役割と、外側カバー２に起因するアウターの衣料としての役割との双方を併せ持つことになる。したがって、このおむつ１を着用するだけで、その外側に更にアウターの衣料を着用する必要はない。おむつ１にスカートとしての外観を一層付与することを目的として、外側カバー２に模様、図形若しくは各種の色彩又はそれらの組み合わせを付してもよい。
【００２９】
また、本実施形態のおむつ１がスカートとしての外観を一層呈するようにするために、外側カバー２と吸収性本体３とを固定して図１（ｂ）に示すおむつ１の状態にしたときに、外側カバー２はその下端縁２ｂが、Ｕ字状に略二つ折りされた吸収性本体３の最下部３’よりも下方に延出した状態となることが有利である。このようにするためには、おむつ１の長手方向における外側カバー２の長さＬ１を、着用状態での吸収性本体３の長さＬ２よりも大きくすればよい。したがって、外側カバー２の長さＬ１は、少なくとも二つ折りされた吸収性本体３の長さよりも大きいことが好ましい。
【００３０】
図１（ｂ）に示すおむつ１においては、先に述べたとおり、外側カバー２の接合部２１が、該外側カバー２の非肌当接面側に露出している。これとともに、接合部２１は、吸収性本体３における腹側部の幅方向中央域に位置するようになっている。その結果、おむつ１の着用状態において接合部２１は着用者の腹側の正中線上にほぼ位置するようになっている。この形態のおむつ１においては、横臥状態にある着用者が寝返りをうっても、接合部が着用者の腹側のほぼ正面に位置しているので、該接合部が着用者の身体に当たりづらいという利点がある。また、着用者が立っている状態や歩いている状態においては、接合部２１が着用者の腕部に当たりづらいという利点がある。したがって、おむつ１の装着感が一層向上する。特に、本実施形態においては接合部２１に弾性部材が存在しておらず、該接合部２１が柔軟に形成されているので、装着感が更に一層向上する。
【００３１】
更に本実施形態においては、外側カバー２と吸収性本体３とが、該外側カバー２の上端縁２ａを含む上部域の位置で固定されている。このことに起因して、外側カバー２の肌対向面が、吸収性本体３の前方延出部３Ｂ及び後方延出部３Ｃによって保護されているので、外側カバー２が汚れづらいという利点もある。本実施形態のおむつ１は、汚れた吸収性本体３のみを取り替えて用い、外側カバー２は何度も使用するものなので、外側カバー２が汚れづらくなることは、外側カバー２の使用回数を増やすという利点をもたらす。
【００３２】
外側カバー２と吸収性本体３とを固定するための固定手段３８ａ，３８ｂとしては、両者を着脱可能に固定し得るものが用いられる。そのような固定手段３８ａ，３８ｂとしては、例えば面ファスナーのフック部材や粘着テープなどが用いられる。固定を確実に行うために、外側カバー２のうち、固定手段３８ａ，３８ｂによって固定される部位に、固定力を高める部材や着脱を容易にする部材を設けてもよい。例えば、固定手段３８ａ，３８ｂが面ファスナーのフック部材である場合、該フック部材と係合するループ部材を、外側カバー２における環状ウエストバンド部２Ａの非肌対向面に設けることができる。粘着テープの場合は、剥離テープを設けることができる。
【００３３】
外側カバー２と吸収性本体３との固定を円滑に行う観点から、外側カバー２の環状ウエストバンド部２Ａにおける非伸縮部２４ａの周方向の長さ（すなわち図２中、Ｙ’方向の長さ）は、吸収性本体３の幅に対して８０％以上であることが好ましく、９０％以上であることが更に好ましい。また非伸縮部２４ａの周方向の長さは、吸収性本体３の幅に対して１２０％以下であることが好ましく、１１０％以下であることが更に好ましい。例えば８０％以上１２０％以下であることが好ましく、９０％以上１１０％以下であることが更に好ましい。同様の理由によって、外側カバー２の環状ウエストバンド部２Ａにおける非伸縮部２４ｂの周方向の長さと、非伸縮部２４ｃの周方向の長さの和も、吸収性本体３の幅に対して８０％以上であることが好ましく、９０％以上であることが更に好ましい。また、前記の和は、吸収性本体３の幅に対して１２０％以下であることが好ましく、１１０％以下であることが更に好ましい。例えば８０％以上１２０％以下であることが好ましく、９０％以上１１０％以下であることが更に好ましい。
【００３４】
これまでの実施形態では、外側カバー２と吸収性本体３とを固定するための固定部３８ａ、３８ｂが、吸収性本体３に取り付けられていたが、図４（ａ）及び（ｂ）に示す実施形態では、外側カバー２に固定手段２８ａ，２８ｂが設けられている。詳細には、外側カバー２の環状ウエストバンド部２Ａにおける非伸縮部２４ｂ，２４ｃに、固定手段２８ａ，２８ａが設けられている。固定手段２８ａ，２８ａは、非伸縮部２４ｂ，２４ｃのうち、伸縮部２３ａ，２３ｂ寄りの位置に設けられている。固定手段２８ａ，２８ａは、非伸縮部２４ｂ，２４ｃにのみ位置していてもよく、あるいは非伸縮部２４ｂ，２４ｃに位置しているとともに該固定手段２８ａ，２８ａの一部が伸縮部２３ａ，２３ｂに位置していてもよい。更に、外側カバー２の環状ウエストバンド部２Ａにおける非伸縮部２４ａに、固定手段２８ｂ，２８ｂが設けられている。固定手段２８ｂ，２８ｂは、非伸縮部２４ａのうち、伸縮部２３ａ，２３ｂ寄りの位置に設けられている。このように、吸収性本体３と外側カバー２とは、外側カバー２の環状ウエストバンド部２Ａの非伸縮部２４ａ、２４ｂ，２４ｃにおいて着脱可能に固定される。更に、各固定手段２８ａ，２８ｂは、外側カバー２の上部域、具体的には、外側カバー２における上端縁２ａの近傍の位置に設けられている。
【００３５】
これらの固定手段２８ａ，２８ｂを用いて吸収性本体３を外側カバー２に固定し、目的とするおむつ１とするには、図４（ａ）及び図４（ｂ）に示すとおり、吸収性本体３をその幅方向を軸として二つ折りして略Ｕ字状となし、略Ｕ字状の該吸収性本体３を、その長手方向の前後端部が上方を向くようにして、外側カバー２内に挿入する。吸収性本体３の長手方向の前後端部が、外側カバー２の上端縁２Ａから上方に突出するまで挿入を行い、次いで該上端縁２Ａから突出した前後端部を、外側カバー２の非肌当接面側に折り返す。そして、折り返した部位を、固定手段２８ａ，２８ｂによって固定する。このとき、先に述べた実施形態と同様に、吸収性本体３の前端部が外側カバー２における非伸縮部２４ｂ，２４ｃに対向し、かつ吸収性本体３の後端部が外側カバー２における非伸縮部２４ａに対向するように、両者の位置関係を調整する。更に、吸収性本体３の前方延出部３Ｂ及び後方延出部３Ｃの全域が外側カバー２と重なるように、両者の位置関係を調整する。これによって、接合部２１は、吸収性本体３における腹側部の幅方向中央域に位置するようになり、おむつ１の着用状態において、着用者の腹側の正中線上にほぼ位置するようになる。
【００３６】
本実施形態においても、先に述べた実施形態と同様に、外側カバー２と吸収性本体３とが、該外側カバー２の上端縁２ａを含む上部域の位置でのみ固定されているので、外側カバー２の肌対向面が、吸収性本体３の前方延出部３Ｂ及び後方延出部３Ｃによって保護されている。したがって、外側カバー２が汚れづらいという利点がある。更に本実施形態においては、吸収性本体３の長手方向の前端部が、外側カバー２の非肌対向面側に折り返されているので、この折り返しによって、接合部２１の上部が被覆され、外面に露出しなくなっている。その結果、該接合部２１が着用者の身体に一層当たりづらくなっており、おむつ１の装着感が一層良好になる。
【００３７】
本実施形態における固定手段２８ａ，２８ｂとしては、先に述べた実施形態における固定手段３８ａ，３８ｂと同様のものを用いることができる。また、固定を確実に行うために、吸収性本体３の前後端部のうち、固定手段２８ａ，２８ｂによって固定される部位に、固定力を高める部材や着脱を容易にする部材を設けてもよい。例えば、固定手段２８ａ，２８ｂが面ファスナーのフック部材である場合、該フック部材と係合するループ部材を、吸収性本体３の前後端部に設けることができる。粘着テープの場合は、剥離テープを設けることができる。
【００３８】
本実施形態のおむつ１の使用方法を説明すると、先ず装着を行う場合には、（イ）外側カバー２と吸収性本体３とを固定しておむつ１の形態となしてから装着することができる。これに代えて、（ロ）外側カバー２を先に着用者の腰部に装着してから、吸収性本体３を着用者の股間部に添え当てて、外側カバー２と吸収性本体３とを固定してもよい。装着状態のおむつ１を取り外す場合には、（ハ）おむつ１を装着したまま外側カバー２と吸収性本体３と分離することができる。これに代えて、（ニ）外側カバー２と吸収性本体３と分離せずにおむつ１を脱ぎ、脱いだ後のおむつ１において外側カバー２と吸収性本体３と分離してもよい。
【００３９】
図５（ａ）及び図５（ｂ）に示す実施形態は、これまで説明してきた実施形態と異なりトランクス状の外観を呈するパンツ型使い捨ておむつ１に係るものである。このおむつ１は、これまで説明してきた実施形態と同様に、外側カバー２と、吸収性本体３とを備えている。外側カバー２としては、これまで説明してきた実施形態と同様のもの、例えば図２に示す展開状態のものを用いることができる。
【００４０】
吸収性本体３としては、図１（ａ）に示すものと同様のものを用いることができる。ただし、本実施形態で用いる吸収性本体３は、その股下部の位置に、外側カバー２を該吸収性本体に固定するための固定手段３８ｃが設けられている。固定手段３８ｃは、股下部の位置に１個設けられていてもよく、あるいは股下部のうち、腹側部寄りの位置に１個と背側部寄りの位置に１個の合計２個設けられていてもよい。固定手段３８ｃとしては、外側カバー２と吸収性本体３とを着脱可能に固定し得るものが用いられる。そのような固定手段３８ｃとしては、例えば面ファスナーのフック部材や粘着テープなどが用いられる。
【００４１】
図５（ａ）に示す構成を有する外側カバー２及び吸収性本体３を用いて、図５（ｂ）に示すおむつ１とするには、吸収性本体３をその幅方向を軸として二つ折りして略Ｕ字状となし、略Ｕ字状の該吸収性本体３を、その長手方向の前後端部が上方を向くようにして、外側カバー２内に挿入する。そして、吸収性本体３の前後端部の位置と、外側カバー２の上端縁２ａの位置とを一致させた状態で、固定手段３８ａ，３８ｂを外方に向けて折り返して、該固定手段３８ａ，３８ｂを外側カバー２の外面に固定する。このとき、吸収性本体３の前端部が外側カバー２における非伸縮部２４ｂ，２４ｃに対向し、かつ吸収性本体３の後端部が外側カバー２における非伸縮部２４ａに対向するように、両者の位置関係を調整する。かつ、吸収性本体３の前端部に取り付けられた一対の固定手段３８ａ，３８ａの略中間の位置に、外側カバー２の接合部２１が位置するように、両者の位置関係を調整する。更に、吸収性本体３の前方延出部３Ｂ及び後方延出部３Ｃの全域が外側カバー２と重なるように、両者の位置関係を調整する。これに加えて、外側カバー２の非弾性延出部２Ｂにおける下端域のうち、腹側部側の幅方向中央部及び背側部側の幅方向中央部をそれぞれ、吸収性本体２の股下部に設けられた固定手段３８ｃに接合する。この接合によって、外側カバー２には、その下端域に、下方に向けて開口した一対の開口部Ｐ，Ｐが形成される。この開口部Ｐは着用者の脚を通す部位である。つまり、前記の接合によって外側カバー２はその全体としてトランクス状の形状をなすものとなる。
【００４２】
本実施形態及び次に述べる図６に示す実施形態においても、先に述べた実施形態と同様に、おむつ１の長手方向における外側カバー２の長さＬ１は、着用状態での吸収性本体３の長さＬ２よりも大きくなっている。
【００４３】
本実施形態の外側カバー２として用いられる帯状シート部材（先に述べた図２参照）においては、帯状非伸縮域２２Ｂの長さは、帯状伸縮域２２Ａの長さに対して５０％以上であることが好ましく、１００％以上であることが更に好ましい。また帯状非伸縮域２２Ｂの長さは、帯状伸縮域２２Ａの長さに対して２００％以下であることが好ましく、１５０％以下であることが更に好ましい。例えば、帯状非伸縮域２２Ｂの長さは、帯状伸縮域２２Ａの長さに対して５０％以上２００％以下であることが好ましく、１００％以上１５０％以下であることが更に好ましい。
【００４４】
図６（ａ）及び図６（ｂ）に示す実施形態は、図５（ａ）及び図５（ｂ）に示す実施形態の変形例である。図５（ａ）及び図５（ｂ）に示す実施形態では、外側カバー２の上部域と吸収性本体３とを固定するための固定部３８ａ，３８ｂが、吸収性本体３に取り付けられていたが、本実施形態では、外側カバー２に固定手段２８ａ，２８ｂが設けられている。詳細には、外側カバー２における非伸縮部２４ｂ，２４ｃに、固定手段２８ａ，２８ａが設けられている。更に、外側カバー２における非伸縮部２４ａに、固定手段２８ｂ，２８ｂが設けられている。これら固定手段２８ａ，２８ｂの配置状態は、先に述べた図４（ａ）及び図４（ｂ）に示す実施形態と同様なので、本実施形態での固定手段２８ａ，２８ｂの配置状態に関しては、図４（ａ）及び図４（ｂ）に示す実施形態についての説明が適宜適用される。
【００４５】
また、本実施形態に関しては、図５（ａ）及び図５（ｂ）に示す実施形態の吸収性本体３の股下部に取り付けられていた固定手段３８ｃは採用されていない。この固定手段３８ｃに代えて、本実施形態においては、外側カバー２における非弾性延出部２Ｂの下端域のうち、腹側部となるべき部位における幅方向中央部、及び背側部となるべき部位における幅方向中央部のうちのいずれか一方又は両方に固定手段２８ｃが取り付けられている。具体的には、腹側部に関しては、接合部２１の下端域に固定手段２８ｃが取り付けることができる。背側部に関しては、非伸縮部２４ａのうち該接合部２１と対向する部位の下端域に固定手段（図示せず）を取り付けることができる。固定手段２８ｃとしては、先に述べた固定手段３８ｃと同様のものを用いることができる。このように、本実施形態においては、腹側部及び背側部の幅方向中央部が固定手段２８ｃによって互いに接合可能となっている。互いに接合可能とは、外側カバー２における非弾性延出部２Ｂの下端域において、固定手段２８ｃによって腹側部及び背側部の幅方向中央部どうしが直接接合された状態や、固定手段２８ｃが幅方向中央部を跨って配置され連続した状態を示す。
【００４６】
図６（ａ）に示す構成を有する外側カバー２及び吸収性本体３を用いて、図６（ｂ）に示すおむつ１とするには、吸収性本体３をその幅方向を軸として二つ折りして略Ｕ字状となし、略Ｕ字状の該吸収性本体３を、その長手方向の前後端部が上方を向くようにして、外側カバー２内に挿入する。吸収性本体３の長手方向の前後端部が、外側カバーの上端縁２ａから上方に突出するまで挿入を行い、次いで該上端縁２ａから突出した前後端部を、外側カバー２の非肌当接面側に折り返す。そして、折り返した部位を、固定手段２８ａ，２８ｂによって固定する。このとき、吸収性本体３の前端部が外側カバー２における非伸縮部２４ｂ，２４ｃに対向し、かつ吸収性本体３の後端部が外側カバー２における非伸縮部２４ａに対向するように、両者の位置関係を調整する。更に、吸収性本体３の前方延出部３Ｂ及び後方延出部３Ｃの全域が外側カバー２と重なるように、両者の位置関係を調整する。このような外側カバー２と吸収性本体３との固定のしかたは、先に述べた図４（ａ）及び図４（ｂ）に示す実施形態と同様である。更に、本実施形態においては、これに加えて、外側カバー２の非弾性延出部２Ｂにおける下端域のうち、腹側部側の幅方向中央部と背側部側の幅方向中央部とを固定手段２８ｃで連結して接合する。この接合によって、外側カバー２には、その下端域に、下方に向けて開口した一対の開口部Ｐ，Ｐが形成される。その結果、外側カバー２はその全体としてトランクス状の形状をなすものとなる。
【００４７】
以上のとおり、図５及び図６に示す実施形態のおむつ１は、外側カバー２と吸収性本体３とを固定しておむつの状態にしたときに、外側カバー２の非弾性延出部２Ｂにおける下端域のうち、腹側部側の幅方向中央部及び背側部側の幅方向中央部がそれぞれ、吸収性本体３の股下部に接合可能になっており、その接合によって外側カバー２が全体としてトランクス状の形状をなすものである。そして、これらの実施形態のおむつ１は、吸収性本体３に起因する下着としての役割と、外側カバー２に起因するアウターの衣料、すなわちトランクスとしての役割との双方を併せ持つことになる。したがって、このおむつ１を着用するだけで、その外側に更にアウターの衣料を着用する必要はない。おむつ１にトランクスの外観を一層付与することを目的として、外側カバー２に模様、図形若しくは各種の色彩又はそれらの組み合わせを付してもよい。
【００４８】
図５及び図６に示すトランクス状の外側カバーを有するおむつは、図１及び図４に示すスカート状の外側カバーを有するおむつと同様に、外側カバーが、環状ウエストバンド部の下端から下方に延出する非弾性延出部を有していること、及び外側カバーの下端縁が該吸収性本体の最下部よりも下方に延出した状態となることに起因して、図１及び図４に示すスカート状の外側カバーを有するおむつと同様の有利な効果が奏される。これに加えて、図５及び図６に示すトランクス状の外側カバーを有するおむつは、トランクス状のアクティブな外観を呈し、また緩やかな締め付け力による良好な装着感を呈するという有利な効果も奏する。
【００４９】
なお、これまでに説明してきた図４ないし図６に示す実施形態において、特に説明しない点については、図１ないし図３に示す実施形態に関して詳述した説明が適宜適用される。また図４ないし図６において、図１ないし図３と同じ部材には同じ符号を付してある。
【００５０】
以上、本発明をその好ましい実施形態に基づき説明したが、本発明は前記実施形態に制限されない。例えば前記の各実施形態においては、外側カバー２は、帯状シート部材２２における長手方向両端部どうしを、その幅方向に沿って合掌状に接合して形成されたものであるが、接合の態様はこれに限られない。例えばレーザー光を用いた溶断によって接合を行うことができる。
【００５１】
また前記の各実施形態においては、外側カバー２に形成された接合部２１が、吸収性本体３における腹側部の幅方向中央域に位置するように、外側カバー２と吸収性本体３とが固定されたが、接合部２１の位置は、これに限られない。例えば接合部２１が、吸収性本体３における背側部の幅方向中央域に位置するようにしてもよく、あるいは着用者の身体の側部に位置するようにしてもよい。接合部２１が着用者の身体の側部に位置するようにした場合には、環状ウエストバンド部２Ａにおける非伸縮領域を、着用者の腹側部及び背側部に位置させることが好ましい。
【００５２】
また前記の各実施形態においては、一枚の帯状シート部材２２の両端縁２２ｃ，２２ｄを接合することで１箇所の接合部２１を形成し、環状の外側カバー２を形成したが、これに代えて、長手方向及びそれに直交する幅方向を有する複数枚の帯状シート部材を、それらの長手方向に沿って直列させ、前後に隣り合う帯状シート部材における長手方向の端縁どうしを接合するとともに、最前部に位置する帯状シート部材の前側端縁と、最後部に位置する帯状シート部材の後側端縁とを接合して、環状の外側カバーを形成してもよい。
【００５３】
更に前記の各実施形態においては、外側カバー２の環状ウエストバンド部２Ａが、伸縮部と非伸縮部とを有していたが、これに代えて、環状ウエストバンド部２Ａは周方向全体にわたり伸縮性を有していてもよい。
【００５４】
上述した実施形態に関し、本発明は更に以下のパンツ型吸収性物品を開示する。
＜１＞  着用状態において着用者の腰回りに位置し、かつ周方向に弾性を有する環状ウエストバンド部を有する外側カバーと、着用状態において着用者の股下に位置する吸収性本体とを備え、該外側カバーと該吸収性本体とが着脱可能になっているパンツ型吸収性物品であって、
前記外側カバーは、前記環状ウエストバンド部の下端から下方に延出する非弾性延出部を有し、
前記外側カバーはその下端縁が、該吸収性本体の最下部よりも下方に延出した状態となる、パンツ型吸収性物品。
【００５５】
＜２＞  前記外側カバーの長さが、少なくとも二つ折りされた前記吸収性本体の長さよりも大きい前記＜１＞に記載のパンツ型吸収性物品。
＜３＞  前記外側カバーの前記非弾性延出部が、その上方から下方に向けて末広がり状に拡開しており、該外側カバーが全体としてスカート状の形状をなす前記＜１＞又は＜２＞に記載のパンツ型吸収性物品。
＜４＞  前記外側カバーと前記吸収性本体とを固定して前記吸収性物品の状態にしたときに、該外側カバーの前記非弾性延出部における下端域のうち、腹側部側の幅方向中央部及び背側部側の幅方向中央部がそれぞれ、該吸収性本体の股下部に接合可能になっているか、又は両幅方向中央部が互いに接合可能となっており、その接合によって該外側カバーが全体としてトランクス状の形状をなす前記＜１＞又は＜２＞に記載のパンツ型吸収性物品。
＜５＞  前記環状ウエストバンド部は、一方向に長い帯状シート部材における長手方向両端部どうしを、その幅方向に沿って接合して形成されたものであるか、又は、
長手方向及びそれに直交する幅方向を有する複数枚の帯状シート部材を、それらの長手方向に沿って直列させ、前後に隣り合う帯状シート部材における長手方向の端縁どうしを接合するとともに、最前部に位置する帯状シート部材の前側端縁と、最後部に位置する帯状シート部材の後側端縁とを接合して環状に形成されたものであり、
前記帯状シート部材は、該帯状シート部材の長手方向に沿って伸縮性のある伸縮部を少なくとも一部に有している前記＜１＞ないし＜４＞のいずれか１に記載のパンツ型吸収性物品。
【００５６】
＜６＞  一方向に長いシート間に、該方向と同方向に長い１本又は複数本の弾性部材を伸長状態で接合固定して前記帯状シート部材となした前記＜５＞に記載のパンツ型吸収性物品。
＜７＞  前記帯状シート部材の幅方向に隣り合う前記弾性部材間の位置においては、接合点の位置を除き、２枚の前記シートは非接合になっている前記＜６＞に記載のパンツ型吸収性物品。
＜８＞  前記帯状シート部材は、その長手方向に沿って延び、かつ前記伸縮部を有する帯状伸縮域と、長手方向に沿って延びる帯状非伸縮域とを有しており、該帯状伸縮域と該帯状非伸縮域とが幅方向に隣接して並列配置されている前記＜５＞ないし＜７＞のいずれか１に記載のパンツ型吸収性物品。
＜９＞  幅方向における前記帯状非伸縮域の長さは、幅方向における前記帯状伸縮域の長さに対して５０％以上であることが好ましく、１００％以上であることが更に好ましく、
前記帯状非伸縮域の長さは、前記帯状伸縮域の長さに対して２００％以下であることが好ましく、１５０％以下であることが更に好ましく、
前記帯状非伸縮域の長さは、前記帯状伸縮域の長さに対して５０％以上２００％以下であることが好ましく、１００％以上１５０％以下であることが更に好ましい前記＜８＞に記載のパンツ型吸収性物品。
【００５７】
＜１０＞  前記帯状シート部材に２箇所の前記伸縮部が設けられている前記＜５＞ないし＜９＞のいずれか１に記載のパンツ型吸収性物品。
＜１１＞  前記帯状シート部材における２つの伸縮部の配置位置は、該帯状シート部材から前記外側カバーを形成し、該外側カバーを装着した状態において、該伸縮部が着用者の左右の腸骨を含む側部に位置するような位置である前記＜１０＞に記載のパンツ型吸収性物品。
＜１２＞  前記帯状シート部材が、前記伸縮部に加えて非伸縮部を有し、該非伸縮部は、該帯状シート部材における長手方向両端部に位置し、該非伸縮部どうしが剥離不能に接合されている前記＜５＞ないし＜１１＞のいずれか１に記載のパンツ型吸収性物品。
＜１３＞  前記帯状シート部材が、前記伸縮部に加えて非伸縮部を有し、
前記非伸縮部は、前記帯状シート部材から前記外側カバーを形成し、該外側カバーを装着した状態において、該非伸縮部が着用者の背側部及び腹側部に位置するように配置されている前記＜５＞ないし＜１２＞のいずれか１に記載のパンツ型吸収性物品。
【００５８】
＜１４＞  前記帯状シート部材が、前記伸縮部に加えて非伸縮部を有し、
前記非伸縮部は、前記外側カバーを装着した状態において、該非伸縮部が着用者の背側部に位置するように配置されており、
前記非伸縮部の周方向の長さが、前記吸収性本体の幅に対して８０％以上であることが好ましく、９０％以上であることが更に好ましく、１２０％以下であることが好ましく、１１０％以下であることが更に好ましく、８０％以上１２０％以下であることが好ましく、９０％以上１１０％以下であることが更に好ましい前記＜５＞ないし＜１３＞のいずれか１に記載のパンツ型吸収性物品。
＜１５＞  前記帯状シート部材が、前記伸縮部に加えて非伸縮部を有し、
前記非伸縮部は、前記外側カバーを装着した状態において、該非伸縮部が着用者の腹側部に位置するように配置されており、
前記非伸縮部の周方向の長さが、前記吸収性本体の幅に対して８０％以上であることが好ましく、９０％以上であることが更に好ましく、１２０％以下であることが好ましく、１１０％以下であることが更に好ましく、８０％以上１２０％以下であることが好ましく、９０％以上１１０％以下であることが更に好ましい前記＜５＞ないし＜１４＞のいずれか１に記載のパンツ型吸収性物品。
＜１６＞  前記吸収性本体と前記外側カバーとは、該外側カバーの前記環状ウエストバンド部における前記非伸縮部において着脱可能に固定される前記＜１２＞ないし＜１５＞のいずれか１に記載のパンツ型吸収性物品。
【００５９】
＜１７＞  前記吸収性本体の長手方向両端部が、前記外側カバーの上部域の位置で固定されるように構成されている前記＜１＞ないし＜１６＞のいずれか１に記載のパンツ型吸収性物品。
＜１８＞  前記外側カバーと前記吸収性本体とが、該外側カバーの前記環状ウエストバンド部の上部域でのみ固定されている前記＜１７＞に記載のパンツ型吸収性物品。
＜１９＞  前記吸収性本体の長手方向両端部に、前記外側カバーの前記環状ウエストバンド部への固定手段が設けられている前記＜１８＞に記載のパンツ型吸収性物品。
＜２０＞    固定手段を外方に向けて折り返して、該固定手段を前記環状ウエストバンド部の外面に固定する前記＜１９＞に記載のパンツ型吸収性物品。
＜２１＞  前記外側カバーの上部域に、前記吸収性本体への固定手段が設けられている前記＜１８＞に記載のパンツ型吸収性物品。
【００６０】
＜２２＞  前記帯状シート部材が、前記伸縮部に加えて非伸縮部を有し、
前記外側カバーの前記環状ウエストバンド部における前記非伸縮部に、固定手段が設けられている前記＜２１＞に記載のパンツ型吸収性物品。
＜２３＞  前記吸収性本体は、その股下部の位置に、前記外側カバーを該吸収性本体に固定するための固定手段が設けられている前記＜４＞に記載のパンツ型吸収性物品。
＜２４＞  前記外側カバーは、前記非弾性延出部の下端域のうち、腹側部の幅方向中央部及び背側部の幅方向中央部のうちのいずれか一方又は両方に固定手段が設けられている前記＜４＞に記載のパンツ型吸収性物品。
＜２５＞  前記外側カバーは、前記帯状シート部材における長手方向両端部どうしを、その幅方向に沿って合掌状に接合して形成された接合部を有し、
前記吸収性物品の着用状態において、前記外側カバーの前記接合部が、該外側カバーの非肌当接面側に露出し、かつ前記吸収性本体における腹側部又は背側部の幅方向中央域に位置するように、前記外側カバーと前記吸収性本体とが着脱可能に固定される前記＜１＞ないし＜２４＞のいずれか１に記載のパンツ型吸収性物品。
＜２６＞  レッグ開口部が、前記外側カバーより内側に形成されている前記＜１＞ないし＜２５＞のいずれか１に記載のパンツ型吸収性物品。
【符号の説明】
【００６１】
１  パンツ型使い捨ておむつ（パンツ型吸収性物品）
２  外側カバー
２Ａ  環状ウエストバンド部
２Ｂ  非弾性延出部
２ａ  外側カバーの上端縁
２ｂ  外側カバーの下端縁
２１  接合部
２２  帯状シート部材
２２Ａ  帯状伸縮域
２２Ｂ  帯状非伸縮域
２３ａ，２３ｂ  伸縮部
２４ａ，２４ｂ，２４ｃ  非伸縮部
３  吸収性本体
３’  最下部
３Ａ  中央部
３Ｂ  前方延出部
３Ｃ  後方延出部
３１  表面シート
３２  裏面シート
３３  吸収性コア
【図１】
2014083381.tif 000003
【図２】
2014083381.tif 000004
【図３】
2014083381.tif 000005
【図４】
2014083381.tif 000006
【図５】
2014083381.tif 000007
【図６】
2014083381.tif 000008